(57)【要約】【課題】主に建物のクリーニングにおいて、合成洗剤を使用せず、環境に負荷がかからない純石けんを使用して、従来以上の洗浄力と仕上がり美観を得ることができ、コスト削減もはかれる処理水を生成する装置を提供する。【解決手段】水道水をイオン交換樹脂筒（２）に通し生成されたナトリウムイオン水によって純石けんを使用可能にし、さらに磁石筒（７）あるいはマイナスイオンセラミック筒（２２）を通すことによって水の分子の集まりを小さくし、洗浄力を増す処理水を生成することを特徴とする。【選択図】　図１
2004000957.tif 000002
【特許請求の範囲】
【請求項１】
イ．イオン交換樹脂筒（１）の一端に水道水取り入れ口（２）を設け、この樹脂筒を通った水が出る一次処理水取り出し口（３）を他の一端に設ける。
ロ．一次処理水取り出し口（３）と通水管（４）をパイプ等で接続し、この通水管（４）をはさみ込むように両側面に磁石を並べた磁石筒（５）をその外周に設ける。
ハ．通水管（４）の先端に二次処理水取り出し口（６）をパイプ等で接続し設ける。
以上の構成よりなる水処理装置。
【請求項２】
通水管（４）及び磁石筒（５）をマイナスイオンセラミック筒（２２）にした請求項１の水処理装置。
【発明の詳細な説明】
【０００１】
【発明の属する技術分野】
この発明は主たる目的として、建物のクリーニングに合成洗剤を使用せず、環境に負荷がかからない純石けんを使用してメンテナンスできるようにするための水処理装置に関するものである。
【０００２】
【従来の技術】
イ．従来よりビルのクリーニングにおいては、使用する洗剤の希釈は水道水が前提であったため、合成洗剤が使用されていた。
ロ．合成洗剤を使用せず、水だけで洗浄できるとされる処理水が販売され始めたが、これは電気分解によるものである。
【０００３】
【発明が解決しようとする課題】
これらは次のような欠点があった。
イ．環境対策用として販売されたもの以前の合成洗剤には、環境ホルモン物質が含まれているものもあり、環境に対し深刻な打撃を与えている。
ロ．環境対策用として販売された合成洗剤も水道水による希釈を前提としているので、エデト酸等の化学物質が含まれており、それらは自然界においてほとんど分解されないものが多く、環境に負荷をかけている。
また、エデト酸は、ぜんそく、皮膚発疹などのアレルギーを起こし、摂取されるとカルシウム欠乏病となり、血圧降下、腎臓障害を起こすため、作業に従事する者の健康に悪影響を及ぼしている。
ハ．純石けんを水道水で希釈し、クリーニングすると石けんかすが生じ、汚水が再付着しやすく、作業の困難性と仕上がり美観の低下が顕著である。
ニ．電気分解によって生成された洗浄に適する処理水は、装置そのものの生成能力が低く、多量の水を必要とする現場には対応できなかった。
同様にビルメンテナンス業に使用される高圧洗浄機、カーペット用の高圧スチーム洗浄機にも対応できなかった。
また、生成能力を高めれば装置が大きくなり、現実的には現場持ち込みが不可能である。
ホ．昨今事務スペースのＯＡ化が進み、使用できる電源が非常に限られてきているため、生成時に電源を必要とする水処理装置は全ての現場事情に対応できるものではなかった。
ヘ．従来の床洗浄用合成洗剤は、ワックス塗膜を侵しつつ汚れを除去するといった性質のものがほとんどで、ワックス塗布回数を増やすか、高濃度ワックスを使用しなければ光沢復元ができない傾向があった。
ト．洗浄の際、はねてついた汚水あと、乾燥して再付着した汚水あとを修復するのに、水拭きだけでは困難であった。
【０００４】
【課題を解決するための手段】
イ．イオン交換樹脂筒（１）の一端に設けられた水道水取り入れ口（２）より水道水を取り入れる。
ロ．イオン交換樹脂筒（１）を通して得られた処理水をこの樹脂筒の他の一端に設けられた一次処理水取り出し口（３）より吐出させる。
ハ．一次処理水取り出し口（３）と通水管（４）をパイプ等で接続し、この通水管（４）をはさみ込むように両側面に磁石を並べた磁石筒（５）をその外周に設ける。
ニ．イオン交換樹脂筒（１）を通して得られた一次処理水を磁石筒（５）の中の通水管（４）に通すことによって二次処理水を得る。
ホ．通水管（４）よりパイプ等で接続されたボールバルブ（８）を開くことによって、この先端に設けられた二次処理水取り出し口（６）より吐出された水を洗浄水、あるいは洗剤希釈水として使用する。
本発明は、以上の構成よりなる水処理装置である。
【０００５】
イオン交換樹脂筒（１）を通して得られた一次処理水をマイナスイオンセラミック筒（２２）の中に通すことによって二次処理水を得る水処理装置。
【０００６】
【発明の実施の形態】
以下、本発明の実施の形態について説明する。
（イ）イオン交換樹脂を適正処理水量ごとに再生するためにイオン交換樹脂筒（１）の上にイオン交換樹脂再生装置（１７）を設ける。
（ロ）イオン交換樹脂再生装置（１７）の後方に水道水取り入れ口（２）と水道水・処理水切り換えレバー（１８）を設け、さらにイオン交換樹脂を通して生成された一次処理水を吐出する一次処理水取り出し口（３）を設ける。
（ハ）一次処理水を下方に流すため異径エルボ（９）を一次処理水取り出し口（３）に接続し、さらにイオン交換樹脂筒（１）固定の補助のため長ニップル（１０）を接続する。
（ニ）長ニップル（１０）にフレキ管（１１）の袋ナット（２０）を接続させるために、間につぎたしソケット（１９）を入れ接続する。
（ホ）フレキ管（１１）と通水管（４）の接続は袋ナットで行う。
（ヘ）磁石筒（５）は、水の流れる方向に対して垂直に磁力線が働くように磁石を配列し、磁力線がより強力に働くよう、また、磁力線が外に漏れないよう磁石の厚みの半分以上の厚みの鉄でまわりを囲み、閉回路とする。
（ト）通水管（４）からは、袋ナット、フレキ管（１２）、袋ナット、つぎたしソケットと順次接続し、イオン交換樹脂の再生時期を確認するための積算流量計（７）へと接続する。
（チ）積算流量計（７）からは、つぎたしソケット、袋ナット、フレキ管（１３）、袋ナット、つぎたしソケットと順次接続し、止水用のボールバルブ（８）へと接続する。
（リ）ボールバルブ（８）からは、つぎたしソケット、袋ナット、フレキ管（１４）、袋ナット、つぎたしソケットと順次接続し、エルボ（１６）固定の補助のため長ニップル（１５）へと接続する。
（ヌ）長ニップル（１５）に二次処理水取り出しに勝手がよくなるようエルボ（１６）を接続し、本体のパッケージをはさみ込むように六角ニップル（２１）を接続する。
（ル）六角ニップル（２１）に二次処理水取り出し口（６）を接続する。
本発明は、以上の構成よりなっている。
本発明を使用するときは、図３に示すように、
（イ）水道栓の蛇口に耐圧ホースの一端を接続しホースバンド等で固定する。
他の一端を本体の水道水取り入れ口（２）に接続し、同様に固定する。
（ロ）二次処理水取り出し口（６）に耐圧ホースの一端を接続し、固定し、他の一端をバケツ等の容器の中に入れる。
（ハ）ボールバルブ（８）が閉の状態を確認し、水導栓のコックを開ける。
以上で処理水生成の準備が完了し、ボールバルブ（８）を開ければ、あとは水道水の圧力で自動的に処理水が供給される。
洗浄用機械に連結して使用する場合、瞬間使用水量がおよそ毎分１２リットル以上の場合には、図６に示すように処理水をポリペール等の容器に一旦溜め機械に吸水させて使用する。
瞬間使用水量がおよそ毎分１２リットル以下の場合には、図７に示すように処理水を直接機械に接続して使用する。
なお、処理水の用途が複数の場合、図６のような使用形態の時はポリペール等から汲み出して、図７のような使用形態の時は機械と本水処理装置の間に三つ又のホース接続具等を使用して対応する。
【０００７】
イオン交換樹脂筒（１）より順次接続されたフレキ管（１１）とマイナスイオンセラミック筒（２２）の接続は袋ナットで行い、マイナスイオンセラミック筒（２２）は内部にマイナスイオン発生セラミック粒を充填し、管内にセラミック粒が流出しないよう処置を施す。マイナスイオンセラミック筒（２２）からは、袋ナット、フレキ管（１２）、袋ナット、つきたしソケットと順次接続し、イオン交換樹脂の再生を確認する為の積算流量計（７）へと接続する。
【０００８】
【発明の効果】
本発明を使用することによって、以下の効果を得ることができる。
イ．建物のクリーニングの際、環境に負荷がかからない純石けんを使用しても従来の合成洗剤以上の洗浄効果と仕上がり美観を得られる。
ロ．建物のクリーニングにおいて、ほとんどの作業に合成洗剤を使用する必要がなくなるので、作業従事者の健康を損なうことがなくなる。
ハ．洗浄後直接肌に触れる機会があるカーペットのクリーニングにおいても純石けんが使用できるので、残留洗剤分による健康への影響がない。
ニ．処理水の生成能力が高いので、現在ビルメンテナンス業で使用されている全ての洗浄機に対応できる。
また、生成能力に比して装置が小型化できるので、現場への持ち込みが可能となる。
ホ．処理水生成時に電源を必要としないので、従来通りの電源の取り方で作業ができる。
ヘ．洗浄時についた汚水のはねあと、乾燥して再付着した汚水あとが簡単に修復できるようになる。
ト．処理水そのものの洗浄力が高いので、洗剤コストは従来の合成洗剤と比べ約１０分の１から２０分の１に、また、作業効率の向上により、作業時間を従来の２０％〜３０％短縮することが可能となる。
さらに、洗浄に使用する機械にスケールがつかなくなるので、機械のメンテナンスコストを削減できるようになる。
【図面の簡単な説明】
【図１】本発明の斜視図である。
【図２】本発明の他の実施例の斜視図である。
【図３】本発明を分解した状態を示した説明図である。
【図４】本発明の他の実施例を分解した状態を示した説明図である。
【図５】本発明の使用状態を示した斜視図である。
【図６】本発明の第２の使用状態を示した斜視図である。
【図７】本発明の第３の使用状態を示した斜視図である。
【符号の説明】
１　イオン交換樹脂筒
２　水道水取り入れ口
３　一次処理水取り出し口
４　通水管
５　磁石筒
６　二次処理水取り出し口
７　積算流量計
８　ボールバルブ
９　異径エルボ
１０　長ニップル
１１　フレキ管
１２　フレキ管
１３　フレキ管
１４　フレキ管
１５　長ニップル
１６　エルボ
１７　イオン交換樹脂再生装置
１８　水道水・処理水切り換えレバー
１９　つぎたしソケット
２０　袋ナット
２１　六角ニップル
２２　マイナスイオンセラミック筒
【図１】
2004000957.tif 000003
【図２】
2004000957.tif 000004
【図３】
2004000957.tif 000005
【図４】
2004000957.tif 000006
【図５】
2004000957.tif 000007
【図６】
2004000957.tif 000008
【図７】
2004000957.tif 000009